(57)【要約】【課題】共用部装置と住戸機との間の伝送品質を損なわずに伝送線路の配線数を低減した集合住宅用テレビ付きインターホンシステムを提供する。【解決手段】集合住宅の共用玄関に配置される共用部装置１と、集合住宅の各住戸にそれぞれ配置され複数台の住戸機２とが伝送線路を介して接続される。伝送線路は、共用部装置１に接続された幹線Ｌ１と各住戸機２に接続された住戸別線Ｌ２とを含み、幹線Ｌ１と各住戸別線Ｌ２との接続部位に分岐器３が介装される。幹線Ｌ１および各住戸別線Ｌ２は、制御信号を伝送する制御線Ｌｃと、音声信号および映像信号を周波数多重化した信号を伝送する共用線Ｌｄとからなる。分岐器３は共用線Ｌｄに挿入した経路切換スイッチ３１を備え、共用部装置１により選択された住戸機２がドアホン子器５を接続する子器接続線Ｌ３に直流電圧を印加すると経路切換スイッチ３１が幹線Ｌ１と住戸別線Ｌ２に接続する。【選択図】        図１
2004186835.tif 000002
【特許請求の範囲】
【請求項１】
集合住宅の共用玄関に配置され音声の入出力が可能な子器通話装置および来訪者を撮像するカメラを備える共用部装置と、集合住宅の各住戸にそれぞれ配置され共用部装置とは伝送線路を介して接続されるとともに共用部装置に付設した選択装置を来訪者が操作することにより選択されると共用部装置との間で通信路を確立する複数台の住戸機と、集合住宅の各住戸にそれぞれ配置され住戸機とは通話用の子器接続線を介して接続されるドアホン子器とを備え、住戸機は、共用部装置のカメラにより撮像された映像を表示するモニタと、子器通話装置との間で音声通話が可能な住戸機通話装置と、共用部装置により選択されると子器接続線の線間に直流電圧を印加する子器電源部とを備え、伝送線路は、共用部装置に接続された幹線と各住戸機に接続された住戸別線とを含むとともに幹線と各住戸別線との接続部位にそれぞれ介装された複数台の分岐器を有し、幹線および各住戸別線は、少なくとも選択装置の操作に伴って発生する制御信号を伝送する制御線路と、音声を伝送する音声信号および音声信号よりも高周波であって映像を伝送する映像信号とを周波数多重化した信号を伝送する共用線とからなり、分岐器は、共用線について共用部装置側の幹線を送り側の幹線に接続する状態と共用部装置側の幹線を住戸別線に接続する状態とが選択可能な経路選択スイッチと、共用部装置により選択された住戸機に対応する子器接続線の線間に直流電圧が印加されると幹線を住戸別線に接続する状態に経路選択スイッチを動作させるスイッチ駆動部とを備え、スイッチ駆動部は、共用部装置により選択されていない住戸機に対応する分岐器では共用部装置側の幹線を送り側の幹線に接続する状態に経路選択スイッチを動作させることを特徴とする集合住宅用テレビ付きインターホンシステム。
【請求項２】
前記住戸機は、前記ドアホン子器からの呼出時に前記子器電源部によって前記子器接続線の線間に前記共用部装置による選択時とは異なる電圧であってドアホン子器の電源となる直流電圧を印加する機能を有し、前記スイッチ駆動部は子器電源部によって子器接続線の線間に印加された直流電圧がドアホン子器の電源となる電圧であるときには共用部装置側の前記幹線を送り側の幹線に接続する状態に経路選択スイッチを動作させることを特徴とする請求項１記載の集合住宅用テレビ付きインターホンシステム。
【請求項３】
集合住宅の共用玄関に配置され音声の入出力が可能な子器通話装置および来訪者を撮像するカメラを備える共用部装置と、集合住宅の各住戸にそれぞれ配置され共用部装置とは伝送線路を介して接続されるとともに共用部装置に付設した選択装置を来訪者が操作することにより選択されると共用部装置との間で通信路を確立する複数台の住戸機とを備え、共用部装置は共用線の線間に直流電圧を印加する電源部を備え、住戸機は、共用部装置のカメラにより撮像された映像を表示するモニタと、子器通話装置との間で音声通話が可能な住戸機通話装置とを備え、伝送線路は、共用部装置に接続された幹線と各住戸機に接続された住戸別線とを含むとともに幹線と各住戸別線との接続部位にそれぞれ介装された複数台の分岐器を有し、幹線および各住戸別線は、少なくとも選択装置の操作に伴って発生する制御信号を伝送する制御線路と、音声を伝送する音声信号および音声信号よりも高周波であって映像を伝送する映像信号とを周波数多重化した信号を伝送する共用線とからなり、分岐器は、住戸別線における共用線に挿入されるダイオードからなる第１のダイオードスイッチを備え、各住戸機は、共用部装置による選択時に電源部との間で共用線を通るループ回路を閉成するように制御され非選択時にはループ回路を開放するように制御される閉結スイッチをそれぞれ備え、閉結スイッチによりループ回路が閉成されるとループ回路上の第１のダイオードスイッチが音声信号および映像信号を通過させることを特徴とする集合住宅用テレビ付きインターホンシステム。
【請求項４】
前記分岐器は、前記幹線における前記共用線に挿入されるダイオードからなる第２のダイオードスイッチを備え、前記閉結スイッチにより前記ループ回路が閉成されるとループ回路上の第２のダイオードスイッチが音声信号および映像信号を通過させることを特徴とする請求項３記載の集合住宅用テレビ付きインターホンシステム。
【発明の詳細な説明】
【０００１】
【発明の属する技術分野】
本発明は、集合住宅の共用玄関に設置されカメラを備える共用部装置から各住戸にそれぞれ設置される住戸機を選択して呼び出すことにより、共用部装置と住戸機との間で通信路を確立し、通信路の確立された住戸機が共用部装置からの映像信号を受け取るとともに共用部装置との間で通話可能となる集合住宅用テレビ付きインターホンシステムに関するものである。
【０００２】
【従来の技術】
従来から提供されている集合住宅用のテレビ付きインターホンシステムの構成例を図３に示す。図示例では、集合住宅の共用玄関に設置される共用部装置（ロビーインターホン）１と、各住戸にそれぞれ配置される複数台の住戸機２とを備え、共用部装置１と住戸機２とが伝送線路を介して接続されている。伝送線路は、共用部装置１に接続される幹線Ｌ１と、各住戸機２にそれぞれ接続される住戸別線Ｌ２とを含み、幹線Ｌ１と各住戸別線Ｌ２との間にはそれぞれ分岐器３が介装される。さらに、図示例では幹線Ｌ１を複数系統（図では２系統）に分配するための分配器４が設けられている。
【０００３】
共用部装置１は、音声の入出力が可能な子器通話装置１１と、来訪者を撮像するＴＶカメラであるカメラ１２と、来訪者により操作される選択装置１３とを備える。また、住戸機２は、音声の入出力が可能な住戸機通話装置２１と、カメラ１２により撮像された映像を表示するモニタ２２とを備える。選択装置１３は住戸番号を指定する番号キーと呼出釦とを備え、共用部装置１において選択装置１３の操作により住戸番号を選択して呼出釦を押下すると住戸番号に対応する住戸機２を選択したことになり、選択した住戸機２と共用部装置１との間で通信路が確立する。共用部装置１との通信路が確立した住戸機２では、住戸機通話装置２１を用いて子器通話装置１１との間での通話が可能になるとともに、カメラ１２で撮像された映像をモニタ２２に表示することが可能になる。
【０００４】
伝送線路としては３対以上のペア線をシース内に備える多対ツイストペアケーブルを用いており、図示例では子器通話装置１１と住戸機通話装置２１との間で音声信号を伝送する通話線Ｌａと、カメラ１２により撮像した映像情報を含む映像信号をモニタに伝送する映像線Ｌｂと、選択装置１３により選択された住戸機２を指定する制御信号を伝送する制御線Ｌｃとにそれぞれペア線を用いている。つまり、図示例の伝送線路では３対のペア線を用いている。ここで、音声信号と映像信号と制御信号とは伝送中の信号形態が変化することがあるが、以下の説明では物理的な信号形態の変化によらず、情報内容が同じである信号を同名で呼ぶことにする。たとえば、後述するようにカメラ１２から出力された信号はＦＭ変調されるから、変調の前後では物理的な信号形態は変化するが、情報内容としてはカメラ１２で撮像した映像情報に着目しており、着目する情報内容には変化がないから、以下の説明では変調の前後の信号をいずれも映像信号と呼ぶ。音声信号および制御信号についても同様である。
【０００５】
共用部装置１において、子器通話装置１１はマイクロホン１１ａおよびスピーカ１１ｂからなり、マイクロホン１１ａとスピーカ１１ｂとはそれぞれ増幅器１４ａ，１４ｂを介して音声回路１４ｃに接続されている。音声回路１４ｃは、２個の増幅器１４ａ，１４ｂと２線の音声線Ｌａとの間に挿入するために２線４線変換回路を含んでおり、マイクロホン１１ａからの音声信号を音声線Ｌａに送出し、音声線Ｌａからの音声信号をスピーカ１１ｂ側に出力する機能を有する。また、カメラ１２から出力される映像信号は、ＦＭ変調回路１５ａにおいてＦＭ変調された後に、増幅器１５ｂおよび不平衡−平衡変換のための結合トランス１５ｃを介して映像線Ｌｂに送出される。共用部装置１には内部回路を制御するＣＰＵ１０が設けられ、ＣＰＵ１０には選択装置１３が接続されるとともに、制御線Ｌｃとの間のインタフェースとなる制御信号送受信回路１６が接続される。つまり、制御信号送受信回路１６は、ＣＰＵ１０から出力された制御信号を制御線Ｌｃに送出し、制御線Ｌｃから受信した制御信号をＣＰＵ１０に引き渡す機能を有する。共用部装置１の内部電源は、電源部１７によって商用電源（交流１００Ｖ）から生成される。
【０００６】
一方、住戸機２において、住戸機通話装置２１はマイクロホン２１ａおよびスピーカ２１ｂからなり、マイクロホン２１ａとスピーカ２１ｂとはそれぞれ増幅器２４ａ，２４ｂを介して音声回路２４ｃに接続されている。音声回路２４ｃは、２個の増幅器２４ａ，２４ｂと２線の音声線Ｌａとの間に挿入するために２線４線変換回路を含んでおり、マイクロホン２１ａからの音声信号を音声線Ｌａに送出し、音声線Ｌａからの音声信号をスピーカ２１ｂ側に出力する機能を備えている。したがって、共用部装置１と住戸機２との間で音声線Ｌａを通して音声信号を授受することができ、来訪者が共用部装置１を用いるとともに居住者が住戸機２を用いることによって、来訪者と居住者との間で音声通話が可能になる。
【０００７】
住戸機２に設けた音声回路２４ｃには、子器インタフェース２３および子器接続線Ｌ３を介してドアホン子器５が接続される。ドアホン子器５は集合住宅の各住戸の玄関先に配置されるものであってマイクロホンおよびスピーカを備え、子器インタフェース２３はドアホン子器５との通話のための音声双方向増幅回路や音声回路２４ｃを接続するための開閉路回路などを備える。したがって、ドアホン子器５と住戸機通話装置２１との間での通話が可能になっている。また、ドアホン子器５には呼出釦が設けられ、子器インタフェース２３ではドアホン子器５での呼出釦の操作時に呼出音を音声回路２４ｃに入力して、スピーカ２１ｂから送出させる機能も備える。ドアホン子器５の電源は住戸機２に内蔵した子器電源部２８ａから電源重畳部２８ｂを介して供給される。電源重畳部２８ｂは音声信号伝送帯域に対するインピーダンスを高くして子器接続線Ｌ３に電源を重畳する回路である。ここに、子器接続線Ｌ３には伝送線路とは別シースのケーブルを用いるのが一般的であるが、伝送線路の中の１対のペア線を流用することも可能である。
【０００８】
住戸機２において、モニタ２２には液晶表示器あるいはＣＲＴが用いられる。映像線Ｌｂを通して住戸機２に入力される映像信号は、平衡−不平衡変換のための結合トランス２５ｃを介して増幅器２５ｂに入力され、増幅器２５ｂで増幅された後にＦＭ復調回路２５ａにおいてＦＭ復調される。ＦＭ復調回路２５ａから出力された映像信号は、モニタ２２に入力されることによってモニタ２２の画面に映像を表示する。つまり、共用部装置１のカメラ１２において撮像された来訪者の映像が住戸機２のモニタ２２に表示されるから、住戸内の居住者が来訪者を確認することができるのである。
【０００９】
住戸機２には内部回路を制御するＣＰＵ２０が設けられ、ＣＰＵ２０には制御線Ｌｃとのインタフェースとなる制御信号送受信回路２６が接続される。制御信号送受信回路２６は、ＣＰＵ２０から出力された制御信号を制御線Ｌｃに送出し、制御線Ｌｃから受信した制御信号をＣＰＵ２０に引き渡す機能を有する。住戸機２の内部電源は、電源部２７によって商用電源（交流１００Ｖ）から生成される。
【００１０】
上述のようにして共用部装置１の選択装置１３により選択された住戸機２が共用部装置１との間で通信路を確立している状態は、共用部装置１または住戸機２において通話終了が検出されると終了する。つまり、共用部装置１の子器通話装置１１または住戸機２の住戸機通話装置２１にハンドセットを用いる場合にはハンドセットをオンフックすることによって通話終了を検知でき、ハンズフリーで通話する場合には適宜の操作釦を用いて通話終了を指示できる。
【００１１】
ところで、通話線Ｌａおよび制御線Ｌｃは、分岐器３においては幹線Ｌａと住戸別線Ｌ２とが直結され、分配器４においては各系統の幹線Ｌ１を直結している。したがって、共用部装置１から送出された制御信号は制御線Ｌｃに接続されるすべての住戸機２に伝送される。ここに、住戸機２のＣＰＵ２０には個別にアドレス（たとえば、住戸番号）が設定されており、共用部装置１に設けた選択装置１３によってアドレスを選択することによって、アドレスを指定する制御信号をすべての住戸機２に伝送することが可能になっている。住戸機２のＣＰＵ２０は、制御信号に含まれるアドレスが自己のアドレスであれば内部回路を作動させるように構成されており、したがって、共用部装置１と選択された住戸機２との間でのみ通話可能にすることが可能になるとともに、選択された住戸機２でのみカメラ１２で撮像された来訪者をモニタ２２に表示することが可能になる。ただし、映像線Ｌｂに関しては、分岐器３において幹線Ｌ１と住戸別線Ｌ２との間に分岐トランス３９が挿入され、分配器４において各系統の幹線Ｌ１の間に分配トランス４１が挿入される。分岐トランス４１は、幹線Ｌ１側のインピーダンスが映像線Ｌｂの特性インピーダンスより十分高く、住戸別線Ｌ２側のインピーダンスが映像線Ｌｂの特性インピーダンスに整合するように設計されている。
【００１２】
上述したように、集合住宅用のテレビ付きインターホンシステムでは、音声信号と映像信号と制御信号とを伝送線路で伝送する必要があり、音声信号と映像信号と制御信号とを各別の経路で伝送する構成が採用されている。つまり、伝送線路において、音声線Ｌａと映像線Ｌｂと制御線Ｌｃとの３対のペア線が必要であって、伝送線路として多対ツイストペアケーブルを用いるから伝送線路が硬く曲がりにくくなり、結果的に伝送線路の引き回しが難しく配線施工に手間がかかるという問題がある。また、比較的高価である多対ツイストペアケーブルを集合住宅の全体に亘って引き回す長距離の伝送線路に用いることになるから、インターホンシステムが高コストになるという問題もある。その上、共用部装置１および住戸機２において伝送線路を接続するための端子の個数が多くなるから、伝送線路の各線と端子との接続関係がわかりにくく、施工時に誤結線が生じる可能性が高くなるという問題もある。
【００１３】
一方、呼出用の制御信号および音声信号をインターホン用の伝送路を通して伝送し、映像信号は専用の伝送路を通して伝送するようにした構成も知られている（たとえば、特許文献１参照）。
【００１４】
【特許文献１】
特許第３３１１５３６号公報（第３−４頁、図２）
【００１５】
【発明が解決しようとする課題】
特許文献１に記載されたインターホンシステムでは呼出用に制御信号を用いるのみであるから、制御信号は実質的には通話中に発生することがなく、制御信号と音声信号とをインターホン用の伝送路で共用して伝送しても、制御信号が音声信号の品質を損なうことはない。
【００１６】
しかしながら、インターホンシステムを多機能化しようとすれば通話中にも制御信号が発生する可能性が生じることになり、制御信号が音声信号に干渉して音声信号の品質を損なうことも考えられる。とくに、集合住宅のように多数台の住戸機が共用部装置を共用している場合には、通話中において他の住戸機に何らかの制御信号が伝送されることもあるから、音声信号の品質の確保には音声信号と制御信号との伝送路を分離することが必要になる。つまり、特許文献１に記載された構成に対して制御信号と音声信号との伝送路を分離すると、結局は映像信号の伝送路と併せて結局は３対のペア線が必要になるという問題が生じる。
【００１７】
本発明は上記事由に鑑みて為されたものであり、その目的は、共用部装置と住戸機との間の伝送品質を損なうことなく伝送線路の配線数を従来構成よりも低減することによって施工作業を容易にするとともに誤結線の可能性を低減し、さらにはコストの低減も可能になる集合住宅用テレビ付きインターホンシステムを提供することにある。
【００１８】
【課題を解決するための手段】
請求項１の発明は、集合住宅の共用玄関に配置され音声の入出力が可能な子器通話装置および来訪者を撮像するカメラを備える共用部装置と、集合住宅の各住戸にそれぞれ配置され共用部装置とは伝送線路を介して接続されるとともに共用部装置に付設した選択装置を来訪者が操作することにより選択されると共用部装置との間で通信路を確立する複数台の住戸機と、集合住宅の各住戸にそれぞれ配置され住戸機とは通話用の子器接続線を介して接続されるドアホン子器とを備え、住戸機は、共用部装置のカメラにより撮像された映像を表示するモニタと、子器通話装置との間で音声通話が可能な住戸機通話装置と、共用部装置により選択されると子器接続線の線間に直流電圧を印加する子器電源部とを備え、伝送線路は、共用部装置に接続された幹線と各住戸機に接続された住戸別線とを含むとともに幹線と各住戸別線との接続部位にそれぞれ介装された複数台の分岐器を有し、幹線および各住戸別線は、少なくとも選択装置の操作に伴って発生する制御信号を伝送する制御線路と、音声を伝送する音声信号および音声信号よりも高周波であって映像を伝送する映像信号とを周波数多重化した信号を伝送する共用線とからなり、分岐器は、共用線について共用部装置側の幹線を送り側の幹線に接続する状態と共用部装置側の幹線を住戸別線に接続する状態とが選択可能な経路選択スイッチと、共用部装置により選択された住戸機に対応する子器接続線の線間に直流電圧が印加されると幹線を住戸別線に接続する状態に経路選択スイッチを動作させるスイッチ駆動部とを備え、スイッチ駆動部は、共用部装置により選択されていない住戸機に対応する分岐器では共用部装置側の幹線を送り側の幹線に接続する状態に経路選択スイッチを動作させることを特徴とする。
【００１９】
請求項２の発明では、請求項１の発明において、前記住戸機は、前記ドアホン子器からの呼出時に前記子器電源部によって前記子器接続線の線間に前記共用部装置による選択時とは異なる電圧であってドアホン子器の電源となる直流電圧を印加する機能を有し、前記スイッチ駆動部は子器電源部によって子器接続線の線間に印加された直流電圧がドアホン子器の電源となる電圧であるときには共用部装置側の前記幹線を送り側の幹線に接続する状態に経路選択スイッチを動作させることを特徴とする。
【００２０】
請求項３の発明は、集合住宅の共用玄関に配置され音声の入出力が可能な子器通話装置および来訪者を撮像するカメラを備える共用部装置と、集合住宅の各住戸にそれぞれ配置され共用部装置とは伝送線路を介して接続されるとともに共用部装置に付設した選択装置を来訪者が操作することにより選択されると共用部装置との間で通信路を確立する複数台の住戸機とを備え、共用部装置は共用線の線間に直流電圧を印加する電源部を備え、住戸機は、共用部装置のカメラにより撮像された映像を表示するモニタと、子器通話装置との間で音声通話が可能な住戸機通話装置とを備え、伝送線路は、共用部装置に接続された幹線と各住戸機に接続された住戸別線とを含むとともに幹線と各住戸別線との接続部位にそれぞれ介装された複数台の分岐器を有し、幹線および各住戸別線は、少なくとも選択装置の操作に伴って発生する制御信号を伝送する制御線路と、音声を伝送する音声信号および音声信号よりも高周波であって映像を伝送する映像信号とを周波数多重化した信号を伝送する共用線とからなり、分岐器は、住戸別線における共用線に挿入されるダイオードからなる第１のダイオードスイッチを備え、各住戸機は、共用部装置による選択時に電源部との間で共用線を通るループ回路を閉成するように制御され非選択時にはループ回路を開放するように制御される閉結スイッチをそれぞれ備え、閉結スイッチによりループ回路が閉成されるとループ回路上の第１のダイオードスイッチが音声信号および映像信号を通過させることを特徴とする。
【００２１】
請求項４の発明では、請求項３の発明において、前記分岐器が、前記幹線における前記共用線に挿入されるダイオードからなる第２のダイオードスイッチを備え、前記閉結スイッチにより前記ループ回路が閉成されるとループ回路上の第２のダイオードスイッチが音声信号および映像信号を通過させることを特徴とする。
【００２２】
【発明の実施の形態】
従来の技術として説明したように、伝送線路のうち制御線Ｌｃは共用部装置１が相手先の住戸機２を選択するための制御信号を伝送するから、共用部装置１および住戸機２において制御線Ｌｃに接続される回路は常時動作させておくことが必要である。つまり、共用部装置１が住戸機２を選択するためのアドレスを含む制御信号は、すべての住戸機２に伝送されるから、すべての住戸機２において制御信号送受信回路２６およびＣＰＵ２０は常時作動する。これに対して、音声信号および映像信号に対する処理は住戸機２の選択後に行えばよいから、音声信号と映像信号とは一括して扱うことができ、しかも、音声信号と映像信号とは周波数帯域が異なるから（音声信号に対して映像信号は周波数が十分に高い）、周波数多重化の技術によって多重化することができる。そこで、以下に説明する実施形態では、音声信号と映像信号とを多重化することによって、伝送線路に用いる線数を従来構成よりも低減した例について説明する。なお、制御信号は共用部装置１から住戸機２の呼出に用いるだけではなく、たとえば住戸機２からカメラ１２の向きなどを調節するために制御信号を用いることも可能である。ここで、制御信号は時分割多重技術を用いて伝送してもよい。この種の制御信号にはベースバンド信号を用いることもあり、ベースバンド信号は周波数帯域が広く、音声信号や映像信号との分離が困難であるから、このことからも音声信号および映像信号と制御信号とを各別に伝送することが伝送品質の点から必要になる。
【００２３】
（実施形態１）
本実施形態は、図１に示すように、共用部装置１と住戸機２とを２対のペア線からなる伝送線路を介して接続したものである。伝送線路は、従来構成と同様に共用部装置１に接続される幹線Ｌ１と、住戸機２に接続される住戸別線Ｌ２とからなり、幹線Ｌ１と住戸別線Ｌ２との間には分岐器３が挿入される。なお、図示例では分配器４を設けていないが、分配器４を設けることも可能である。図１を見ればわかるように、本実施形態の基本的な構成は図３に示した従来構成と同様であって、図１において図３に示した従来構成と同機能の構成には同符号を付してある。
【００２４】
本実施形態と従来構成との主な相違点は、図３に示した従来構成における伝送線路では音声線Ｌａと映像線Ｌｂと制御線Ｌｃとの３対のペア線を用いていたのに対して、本実施形態では共用線Ｌｄと制御線Ｌｃとの２対のペア線を用いている点である。共用線Ｌｄは音声信号と映像信号とをともに伝送するものであって、音声信号と映像信号との両方で共用線Ｌｄを用いるために、共用部装置１および住戸機２にはそれぞれ多重分離回路１９，２９を設けている。共用部装置１と住戸機２とにそれぞれ用いている多重分離回路１９，２９は同構成であって、音声回路２４ｃと共用線Ｌｄとの間に挿入される低周波通過部１９ａ，２９ａと、結合トランス１５ｃ，２５ｃと共用線Ｌｄとの間に挿入される高周波通過部１９ｂ，２９ｂとからなる。低周波通過部１９ａ，２９ａは音声信号に対して低インピーダンスであって映像信号に対して高インピーダンスのものを用い、高周波通過部１９ｂ、２９ｂは音声信号に対して高インピーダンスであって映像信号に対して低インピーダンスのものを用いる。図示例では、低周波通過部１９ａ，２９ａとしてインダクタを用い、高周波通過部１９ｂ，２９ｂとしてコンデンサを用いている。
【００２５】
ところで、本実施形態に用いる分岐器３は、幹線Ｌ１から住戸別線Ｌ２を分岐するだけではなく、住戸機２とドアホン子器５との間で子器接続線Ｌ３を接続する機能も備える。分岐器３の内部において、制御線Ｌｃの幹線Ｌ１と住戸別線Ｌ２とは直結される。また、分岐器３の内部において共用線Ｌｄ上には経路選択スイッチ３１が設けられ、経路選択スイッチ３１は、共用部装置１からの幹線Ｌ１を送り側の幹線Ｌ１に接続する状態と、共用部装置１からの幹線Ｌ１を住戸別線Ｌ２に接続する状態とを選択するように接続される。経路選択スイッチ３１は子器接続線Ｌ３に接続されたスイッチ駆動部３２により制御されるのであって、スイッチ駆動部３２では常時は共用部装置１からの幹線Ｌ１と送り側の幹線Ｌ１とが接続される状態を経路選択スイッチ３１に選択させ、住戸機２が動作して子器接続線Ｌ３に直流電源が印加されると共用部装置１からの幹線Ｌ１を当該住戸機２に接続された住戸機線Ｌ２に接続する状態を経路選択スイッチ３１に選択させる。すなわち、共用部装置１の選択装置１３により選択された住戸機２では、子器電源部２８ａおよび電源重畳部２８ｂを通して子器接続線Ｌ３に直流電源が印加されるから、スイッチ駆動部３２では子器接続線Ｌ３への直流電源の印加を検出して経路選択スイッチ３１を駆動し、幹線Ｌ１を住戸別線Ｌ２に接続する。ここに、子器接続線Ｌ３では住戸機２とドアホン子器５との間で通話するための音声信号に子器電源部２８ａからの直流電源が重畳されているから、スイッチ駆動部３２には音声信号を伝送する周波数帯域に対して高インピーダンスであって直流電源を分離する電源分離部を設けてあり、電源分離部により直流電源が抽出されると経路選択スイッチ３１を駆動するように構成してある。ここにおいて、分岐器３は子器接続線Ｌ３を接続するための端子部３３，３４を備え、端子部３３に住戸機２からの子器接続線Ｌ３を接続し、端子部３４にドアホン子器５からの子器接続線Ｌ３を接続する。
【００２６】
本実施形態の要部の動作を簡単に説明する。まず、共用部装置１の選択装置１３によって住戸機２が選択されると、住戸機２はＣＰＵ２０の制御下において子器電源部２９ａから電源重畳部２８ｂを通して子器接続線Ｌ３に直流電源を印加する。分岐器３に設けたスイッチ駆動部３２では子器接続線Ｌ３に直流電源が印加されたことを検出すると、経路選択スイッチ３１を駆動して幹線Ｌ１を住戸別線Ｌ２に接続する。一方、共用部装置１に選択されなかった住戸機２はドアホン子器５に直流電源を供給しないから、分岐器３１の経路選択スイッチ３１は共用部装置１からの幹線Ｌ１を送り側の幹線Ｌ１に接続する状態を継続する。
【００２７】
上述した動作によって、共用部装置１に選択された住戸機２に対応する分岐器３においてのみ共用線Ｌｄ上の経路選択スイッチ３１で幹線Ｌ１を住戸別線Ｌ２に接続するから、映像信号および音声信号は共用部装置１が選択した住戸機２にのみ伝送されることになる。本実施形態では、共用線Ｌｄに関して幹線Ｌ１と住戸別線Ｌ２とを単純に接続しており、従来構成のように映像信号を伝送するための分岐トランスは設けていないが、経路選択スイッチ３１によって共用部装置１と住戸機２とが一対一に接続されるからとくに問題は生じない。また、経路選択スイッチ３１を駆動する電源は、住戸機２とドアホン子器５とを接続するための子器接続線Ｌ２を通して供給されているから、共用部装置１と住戸機２とを接続する伝送線路に電源を重畳する必要がなく、結果的に映像信号および音声信号に対して電源の分離が不要であって、電源を分離するための回路を接続することによる映像信号および音声信号に対する伝送線路のインピーダンス低下を防止することができる。
【００２８】
上述した構成によって、音声信号と映像信号が共用線Ｌｄを共用しながらも周波数多重化の技術を用いて多重化されるから、共用部装置１および住戸機２において音声信号と映像信号とを多重化するとともに分離することができる。また、分岐器３において共用線Ｌｄ上に経路選択スイッチ３１を設けることで、共用部装置１と住戸機２とを共用線Ｌｄを介して一対一に接続するから、１対のペア線である共用線Ｌｄを用いて他の部材を介在させることなく音声信号と映像信号とをともに伝送することができ、従来構成に比較すると１対のペア線が不要になり、２対のペア線をシースに収納したケーブルを伝送線路として用いることが可能になる。言い換えると、３対以上のペア線をシース内に収納した多対ツイストペアケーブルを用いる場合に比較すると柔らかいケーブルを用いることが可能になるから、伝送線路の引き回し作業が容易になり、しかも２対のペア線をシースに収納したケーブルは、３対以上のペア線をシースに収納したケーブルよりも安価であるから、コストの低減につながる。さらには、共用部装置１および住戸機２において伝送線路と接続するための端子数が従来構成よりも少なくなるから、誤結線の可能性を低減することが可能になる。
【００２９】
なお、住戸機２の子器電源部２９ａから子器接続線Ｌ３に直流電源が印加されるのは、共用部装置１から住戸機２が選択された場合だけではなく、各住戸に配置されているドアホン子器５において呼出釦を操作したときにも住戸機２から子器接続線Ｌ３に直流電源が印加される。ここで、ドアホン子器５での呼出釦の操作による子器接続線Ｌ３への直流電源の印加に伴ってスイッチ駆動部３２が経路選択スイッチ３１を切り換えてしまうと、接続中である住戸機２と共用部装置１との間で幹線Ｌ１が遮断されるなどの不都合を生じることがある。
【００３０】
そこで、ドアホン子器５の呼出釦の操作に伴って住戸機２から子器接続線Ｌ３に印加する直流電圧と、共用部装置１により選択されることによって住戸機２から子器接続線Ｌ３に印加する直流電圧とを異なる電圧に設定しておき、スイッチ駆動部３２において子器接続線Ｌ３に印加された直流電圧を判別することによって、共用部装置１から住戸機２が選択された状態であるときにのみ、当該住戸機２に対応する分岐器３内の経路選択スイッチ３１が幹線Ｌ１と住戸別線Ｌ２とを接続するようにするのが望ましい。たとえば、ドアホン子器５の呼出釦の操作時において子器接続線Ｌ３に印加される直流電圧Ｖ１よりも共用部装置１に選択されたときに子器接続線Ｌ３に印加される直流電圧Ｖ２を高く設定しておき、スイッチ駆動部３２では両電圧Ｖ１，Ｖ２の間に閾値を設定し、閾値以上の電圧が子器接続線Ｌ３に印加されたときに経路選択スイッチ３１が幹線Ｌ１と住戸別線Ｌ２とを接続するようにすれば、ドアホン子器５の呼出釦の操作によって経路選択スイッチ３１が作動するのを防止することができる。他の構成および動作は従来構成と同様である。
【００３１】
（実施形態２）
本実施形態は、図２に示すように、実施形態１の構成に対して住戸機２における多重分離回路２９の低周波通過部２９ａおよび高周波通過部２９ｂと共用線Ｌｄとの間に閉結スイッチ２９ｃを挿入したものである。閉結スイッチ２９ｃは、ＣＰＵ２０により制御され、常時はオフであって低周波通過部２９ａおよび高周波通過部２９ｂを共用線Ｌｄから分離しているが、共用部装置１の選択装置１３により選択されるとオンになり共用部装置１との通話が終了するまでの間は低周波通過部２９ａおよび高周波通過部２９ｂを共用線Ｌｄに接続する。したがって、共用部装置１での操作により特定の住戸番号の住戸機２が選択されると、選択された住戸機２のみが共用線Ｌｄとの間で映像信号を受信するとともに音声信号を授受することができ、他の住戸機２では閉結スイッチ２９ｃがオフであって映像信号および音声信号に対する住戸別線Ｌ２のインピーダンスが高くなる。つまり、映像信号および音声信号の減衰が少なくなり伝送品質が向上する。
【００３２】
また、閉結スイッチ２９ｃの一端には抵抗Ｒが直列接続され、閉結スイッチ２９ｃと抵抗Ｒとの直列回路は、直流的には共用線Ｌｄを介して共用部装置１に設けた電源部１７の出力端間に接続される。ここに、住戸機２において映像信号の経路にはコンデンサを用いた高周波通過部２９ｂおよび結合トランス２５ｃが存在するから、共用線Ｌｄに印加された直流電源が映像信号を処理する回路に印加されることがないが、音声信号の経路にインダクタを用いた低周波通過部２９ａを挿入するだけでは、音声回路２４ｃに直流電圧が印加されることになって不都合である。そこで、音声回路２４ｃと低周波通過部２９ａとの間には直流カット用のコンデンサＣを挿入してある。
【００３３】
ところで、本実施形態で用いる分岐器３は、それぞれ一対のダイオードＤ１ａ，Ｄ２ａ、Ｄ１ｂ，Ｄ２ｂからなる２個のダイオードスイッチ３５ａ，３５ｂを備える。ダイオードスイッチ３５ａは住戸別線Ｌ２における共用線Ｌｄの各線路にそれぞれダイオードＤ１ａ，Ｄ２ａを挿入してあり、ダイオードスイッチ３５ｂは幹線Ｌ１における住戸別線Ｌ２の分岐点に対して共用部装置１から遠い方の共用線Ｌｄの各線路にそれぞれダイオードＤ１ｂ，Ｄ２ｂを挿入してある。ダイオードスイッチ３５ａにおいて、ダイオードＤ１ａは幹線Ｌ１側にアノードが接続され、ダイオードＤ２ａは幹線Ｌ１側にカソードが接続される。また、ダイオードスイッチ３５ｂのダイオードＤ１ｂはダイオードＤ１ａとアノードが共通接続され、ダイオードＤ２ｂはダイオードＤ２ａとカソードが共通接続される。各ダイオードＤ１ａ，Ｄ２ａ，Ｄ１ｂ，Ｄ２ｂには、たとえばＰＩＮダイオードを用いている。なお、図２においては幹線Ｌ１および住戸別線Ｌ２を分岐器３に接続するための端子３６〜３８を図示している。
【００３４】
以下に本実施形態の要部の動作を簡単に説明する。いま、共用部装置１に設けた選択装置１３によっていずれかの住戸機２が選択されたとすると、選択された住戸機２ではＣＰＵ２０の制御下において閉結スイッチ２９ｃをオンにする。閉結スイッチ２９ｃがオンになると共用部装置１の電源部１７の出力端間に共用線Ｌｄを介して抵抗Ｒが接続され直流的にループ回路が閉じるから、ループ回路上のダイオードＤ１ａ，Ｄ２ａ，Ｄ１ｂ，Ｄ２ｂがオンになる。つまり、ダイオードスイッチ３５ａがオンになって共用部装置１に選択された住戸機２に接続されている住戸別線Ｌ２が幹線Ｌ１に接続され、さらに、この住戸別線Ｌ２と共用部装置１との間のダイオード３５ｂがオンになるから、共用部装置１に選択された住戸機２のみが共用線Ｌｄを介して共用部装置１に接続され、共用部装置１と住戸機２との間で映像信号および音声信号の伝送が可能になるのである。このように、閉結スイッチ２９ｃがオンになった住戸機２と共用部装置１との間の分岐器３におけるダイオードスイッチ３５ａがオンになるとともに、この分岐器３と共用部装置１との間のダイオードスイッチ３５ｂがオンになり、周波数多重化されている映像信号および音声信号を分岐器３に通過させることが可能になる。なお、共用部装置１に選択されていない住戸機２では閉結スイッチ２９ｃはオフに保たれるからダイオードスイッチ３５ａはオフに保たれ、共用線Ｌｄに関しては、当該住戸機２に接続されている住戸別線Ｌ２が幹線Ｌ１に接続されることはない。また、当該住戸機２を接続している住戸別線Ｌ２と幹線Ｌ１との接続点に対して共用部装置１よりも遠方側のダイオードスイッチ３５ｂはオフに保たれるから、遠方側における幹線Ｌ１の状態は共用部装置１と住戸別線Ｌ２との間のインピーダンスに影響しない。
【００３５】
上述のように、本実施形態においても実施形態１と同様に、共用部装置１と住戸機２とは共用線Ｌｄ上では一対一に接続されるから、複数台の住戸機２が共用部装置１に接続されることによる共用線Ｌｄのインピーダンスの低下がなく、映像信号および音声信号を高品質で伝送することが可能になる。なお、ダイオードスイッチ３５ｂを設けずに、ダイオードスイッチ３５ａのみを設けた構成としても他の住戸機２の影響を抑制できるから高品質な伝送が可能になる。他の構成および動作は実施形態１と同様である。
【００３６】
【発明の効果】
請求項１の発明は上述のように、伝送線路が共用部装置に接続された幹線と各住戸機に接続された住戸別線とを含むとともに幹線と各住戸別線との接続部位にそれぞれ介装された複数台の分岐器を有し、幹線および各住戸別線が、少なくとも選択装置の操作に伴って発生する制御信号を伝送する制御線路と、音声を伝送する音声信号および音声信号よりも高周波であって映像を伝送する映像信号とを周波数多重化した信号を伝送する共用線とからなり、分岐器が、共用線について共用部装置側の幹線を送り側の幹線に接続する状態と共用部装置側の幹線を住戸別線に接続する状態とが選択可能な経路選択スイッチと、共用部装置により選択された住戸機に対応する子器接続線の線間に直流電圧が印加されると幹線を住戸別線に接続する状態に経路選択スイッチを動作させるスイッチ駆動部とを備え、スイッチ駆動部は、共用部装置により選択されていない住戸機に対応する分岐器では共用部装置側の幹線を送り側の幹線に接続する状態に経路選択スイッチを動作させるものであり、制御線と共用線との２組の線路のみとして配線数を低減しながらも、映像信号および音声信号を伝送する共用線と制御信号を伝送する制御線とを分離したことによって、映像信号や音声信号に制御信号が干渉することがなく、結果的に映像信号および音声信号の伝送品質を損なうことなく配線数を従来構成よりも低減することが可能になる。このことによって、比較的柔らかいケーブルを用いることができて施工作業が容易になる上に、結線作業を要する箇所が少なくなって誤結線の可能性を低減させることができ、さらにはコストの低減にもつながる。また、経路選択スイッチの駆動に際して、住戸機とドアホン子器とを接続する子器接続線に印加する直流電圧を用いるから、共用線には直流電圧を印加する必要がなく、共用線には映像信号と音声信号のみを通過させることができるのであって、電源を重畳する場合のように共用線のインピーダンスの低下が生じない。しかも、経路選択スイッチを用いて共用部装置と住戸機とは共用線上では一対一に接続されるから、このことによっても映像信号および音声信号を高インピーダンスで伝送することができ、比較的高い品質での伝送が可能になる。さらに、共用部装置と住戸機とは一対一に接続されるから、映像信号および音声信号の経路にインピーダンスを変換するための回路素子が不要であって、映像信号と音声信号とを分離させずに分岐器を通過させることができ、しかも経路選択スイッチでは共用部装置と住戸機とを単に直結するだけの簡単な構成を採用することができる。
【００３７】
請求項２の発明では、請求項１の発明において、住戸機は、ドアホン子器からの呼出時に子器電源部によって子器接続線の線間に共用部装置による選択時とは異なる電圧であってドアホン子器の電源となる直流電圧を印加する機能を有し、スイッチ駆動部は子器電源部によって子器接続線の線間に印加された直流電圧がドアホン子器の電源となる電圧であるときには共用部装置側の幹線を送り側の幹線に接続する状態に経路選択スイッチを動作させるものであり、住戸機が子器接続線の線間に印加する直流電圧を２段階に設定し、ドアホン子器から住戸機の呼出時には経路選択スイッチを非動作としているから、共用部装置と住戸機とが通話中であるときに、他の住戸機においてドアホン子器が住戸機を呼び出したとしても、当該住戸機に対応する分岐器で経路選択スイッチが経路を切り換わることがなく、通話中の住戸機において通話が切断されることがなくなる。
【００３８】
請求項３の発明は、伝送線路が共用部装置に接続された幹線と各住戸機に接続された住戸別線とを含むとともに幹線と各住戸別線との接続部位にそれぞれ介装された複数台の分岐器を有し、幹線および各住戸別線が、少なくとも選択装置の操作に伴って発生する制御信号を伝送する制御線路と、音声を伝送する音声信号および音声信号よりも高周波であって映像を伝送する映像信号とを周波数多重化した信号を伝送する共用線とからなり、分岐器が、住戸別線における共用線に挿入されるダイオードからなる第１のダイオードスイッチを備え、各住戸機は、共用部装置による選択時に電源部との間で共用線を通るループ回路を閉成するように制御され非選択時にはループ回路を開放するように制御される閉結スイッチをそれぞれ備え、閉結スイッチによりループ回路が閉成されるとループ回路上の第１のダイオードスイッチが音声信号および映像信号を通過させるものであり、制御線と共用線との２組の線路のみとして配線数を低減しながらも、映像信号および音声信号を伝送する共用線と制御信号を伝送する制御線とを分離したことによって、映像信号や音声信号に制御信号が干渉することがなく、結果的に映像信号および音声信号の伝送品質を損なうことなく配線数を従来構成よりも低減することが可能になる。このことによって、比較的柔らかいケーブルを用いることができて施工作業が容易になる上に、結線作業を要する箇所が少なくなって誤結線の可能性を低減させることができ、さらにはコストの低減にもつながる。また、共用部装置が選択した住戸機において閉結スイッチがオンになることによってダイオードスイッチが幹線と住戸別線とを接続するから、共用部装置と住戸機とは一対一に接続されることになり、映像信号および音声信号の経路にインピーダンスを変換するためのトランスのような素子が不要になる。つまり、映像信号と音声信号とを分離させずに分岐器を通過させることができる。加えて、共用部装置と住戸機との間で映像信号および音声信号を伝送するための経路の切換を、共用線に挿入されるダイオードからなるダイオードスイッチにより実現しているから、たとえばリレーを用いて経路を選択する場合などに比べて、開閉路を駆動するための電源分離部が不要であり、電源分離部の接続による伝送線路のインピーダンス低下が生じない。
【００３９】
請求項４の発明では、請求項３の発明において、分岐器が、幹線における共用線に挿入されるダイオードからなる第２のダイオードスイッチを備え、閉結スイッチによりループ回路が閉成されるとループ回路上の第２のダイオードスイッチが音声信号および映像信号を通過させるものであり、請求項３の効果に加えて、幹線についても経路の選択がなされるから、共用部装置と通信路が確立されている住戸機と共用部装置との間以外の幹線を切り離すことになり、幹線において通信に必要のない部分の影響を受けずに音声信号および映像信号を伝送することができる。
【図面の簡単な説明】
【図１】本発明の実施形態１を示すブロック図である。
【図２】本発明の実施形態２を示すブロック図である。
【図３】従来例を示すブロック図である。
【符号の説明】
１  共用部装置
２  住戸機
３  分岐器
５  ドアホン子器
１１  子器通話装置
１２  カメラ
１３  選択装置
１７  電源部
２１  住戸機通話装置
２２  モニタ
２８ａ  子器電源部
２９ｃ  閉結スイッチ
３１  経路選択スイッチ
３２  スイッチ駆動部
３５  ダイオードスイッチ
Ｌ１  幹線
Ｌ２  住戸別線
Ｌ３  子器接続線
Ｌｃ  制御線
Ｌｄ  共用線
【図１】
2004186835.tif 000003
【図２】
2004186835.tif 000004
【図３】
2004186835.tif 000005